(57)【要約】      （修正有）【課題】空気を充填することでクッションとして機能すると共に、小物を収納することができるエアクッションを提供する。【解決手段】巻き付き機能を有するエアクッション１であって、概略円柱状に形成された中空の第一本体２ｂおよび第一本体２ｂと連続的に接続され、概略楕円柱状に形成された中空の第二本体２ａを有し、内部に空気が充填されるクッション本体２と、クッション本体２の第一本体２ｂで径方向に延出し、鍬形状に形成された少なくとも１つの巻き付き機能部３と、第一本体２ｂの端部に設けられ、一端が開口し、他端が閉塞する、開口部および収容部本体４ｂから構成される、少なくとも１つの収容部と、を備える。【選択図】図２
0003216946.tif 000002
【実用新案登録請求の範囲】
【請求項１】
巻き付き機能を有するエアクッションであって、
概略円柱状に形成された中空の第一本体および前記第一本体と連続的に接続され、概略楕円柱状に形成された中空の第二本体を有し、内部に空気が充填されるクッション本体と、
前記クッション本体のいずれかの位置で径方向に延出し、鍬形状に形成された少なくとも１つの巻き付き機能部と、
前記第一本体の端部に設けられ、一端が開口し、他端が閉塞する少なくとも１つの収容部と、を備えることを特徴とするエアクッション。
【請求項２】
前記巻き付き機能部は、中空であって、前記クッション本体と連続的に接続され、空気が充填されることを特徴とする請求項１記載のエアクッション。
【請求項３】
前記巻き付き機能部は、前記第一本体の端部で前記収容部を挟むように設けられたことを特徴とする請求項１または請求項２記載のエアクッション。
【請求項４】
前記クッション本体を被覆する第一のカバーと、前記巻き付き機能部を被覆する第二のカバーとをさらに備えることを特徴とする請求項１から請求項３のいずれかに記載のエアクッション。
【請求項５】
前記第二本体は、前記第一本体に設けられた巻き付き機能部と概略同一方向に延出する巻き付き機能部を更に備えることを特徴とする請求項３記載のエアクッション。
【請求項６】
前記第一本体は、同一の直径上で逆方向に開口する２つの収容部を備えることを特徴とする請求項１または請求項２記載のエアクッション。
【考案の詳細な説明】
【技術分野】
【０００１】
本考案は、巻き付き機能を有するエアクッションに関する。
【背景技術】
【０００２】
従来から、クッションや抱き枕が提案されている。例えば、特許文献１に開示されている抱き枕は、複数の内袋を有し、それぞれに異なる材質のクッション材が充填されている。これらの内袋からなる複数のクッション体を、外袋ファスナーによって開閉可能とされた１つの外袋で包むことで、抱き枕が形成される。この構成により、場所に応じて変化に富んだ触感が得られると共に、ユーザーの好みに応じて、それぞれの部位における触感を変えることができるようにされている。
【先行技術文献】
【特許文献】
【０００３】
【特許文献１】特開２００８−１８８１５７号公報
【考案の概要】
【考案が解決しようとする課題】
【０００４】
しかしながら、特許文献１記載の抱き枕では、外袋の開口部は、側面に設けられており、すべての内袋を外袋に入れなければ、適切に機能しないこととなる。一方、内袋の代わりに空気が充填できるように外袋を形成することによって、内袋がなくてもクッションとして機能させることが可能となる。さらに、外袋の一部に凹部を設けることで、小物やカイロを収納することが可能となる。
【０００５】
本考案は、このような事情に鑑みてなされたものであり、空気を充填することでクッションとして機能すると共に、小物を収納することができるエアクッションを提供することを目的とする。
【課題を解決するための手段】
【０００６】
（１）上記の目的を達成するために、本考案は、以下のような手段を講じた。すなわち、本考案のエアクッションは、巻き付き機能を有するエアクッションであって、概略円柱状に形成された中空の第一本体および前記第一本体と連続的に接続され、概略楕円柱状に形成された中空の第二本体を有し、内部に空気が充填されるクッション本体と、前記クッション本体のいずれかの位置で径方向に延出し、鍬形状に形成された少なくとも一つの巻き付き機能部と、前記第一本体の端部に設けられ、一端が開口し、他端が閉塞する少なくとも１つの収容部と、を備えることを特徴とする。
【０００７】
このように、クッション本体のいずれかの位置で径方向に延出し、鍬形状に形成された少なくとも１つの巻き付き機能部を備えるので、抱き枕としての機能性を高めることが可能となる。また、第一本体の端部に設けられ、一端が開口し、他端が閉塞する少なくとも１つの収容部を備えるので、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【０００８】
（２）また、本考案のエアクッションにおいて、前記巻き付き機能部は、中空であって、前記クッション本体と連続的に接続され、空気が充填されることを特徴とする。
【０００９】
このように、クッション本体のみならず、巻き付き機能部も中空であり、クッション本体と連続的に接続されて、空気が充填されるため、全体の軽量化が図られると共に、１つの空気注入口からクッション全体へ空気を充填させることが可能となる。
【００１０】
（３）また、本考案のエアクッションにおいて、前記巻き付き機能部は、前記第一本体の端部で前記収容部を挟むように設けられたことを特徴とする。
【００１１】
このように、巻き付き機能部は、第一本体の端部で収容部を挟むように設けられたので、ユーザーが抱き枕として使用した際に、収容部へ収容された物と接触することが可能となる。これにより、カイロを収容した場合は温かく感じ、保冷剤を収容した場合は冷たく感じさせることが可能となる。
【００１２】
（４）また、本考案のエアクッションは、前記クッション本体を被覆する第一のカバーと、前記巻き付き機能部を被覆する第二のカバーとをさらに備えることを特徴とする。
【００１３】
このように、第一のカバーと第二のカバーとを備えるので、触り心地を向上させたり、清潔感を維持したりすることが可能となる。なお、カバーに図柄や似顔絵などを表示することで、ユーザーに愛着を感じさせることも可能となる。
【００１４】
（５）また、本考案のエアクッションにおいて、前記第二本体は、前記第一本体に設けられた巻き付き機能部と概略同一方向に延出する巻き付き機能部を更に備えることを特徴とする。
【００１５】
このように、巻き付き機能部が複数設けられたため、ユーザーへの巻き付き具合を強くすることが可能となる。
【００１６】
（６）また、本考案のエアクッションにおいて、前記第一本体は、同一の直径上で逆方向に開口する２つの収容部を備えることを特徴とする。
【００１７】
このように、第一本体は、同一の直径上で逆方向に開口する２つの収容部を備えるので、複数の小物を収容することが可能となる。
【考案の効果】
【００１８】
本考案によれば、抱き枕としての機能性を高めることが可能となる。また、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【図面の簡単な説明】
【００１９】
【図１Ａ】第１の実施形態に係るエアクッションの正面図である。
【図１Ｂ】第１の実施形態に係るエアクッションの背面図である。
【図１Ｃ】第１の実施形態に係るエアクッションの平面図である。
【図１Ｄ】第１の実施形態に係るエアクッションの底面図である。
【図１Ｅ】第１の実施形態に係るエアクッションの右側面図である。
【図２】第１の実施形態に係るエアクッションの斜視図である。
【図３】第１の実施形態に係るエアクッションの斜視図である。
【図４】本実施形態に係るエアクッションにカバーを被せる様子を示す図である。
【図５Ａ】第２の実施形態に係るエアクッションの正面図である。
【図５Ｂ】第２の実施形態に係るエアクッションの右側面図である。
【図６Ａ】第３の実施形態に係るエアクッションの平面図である。
【図６Ｂ】第３の実施形態に係るエアクッションの底面図である。
【図６Ｃ】第３の実施形態に係るエアクッションの背面図である。
【図６Ｄ】第３の実施形態に係るエアクッションの右側面図である。
【考案を実施するための形態】
【００２０】
本考案者は、抱き枕に対して、巻き付き機能と収容機能とを同時に持たせることによって、利便性の高いエアクッションを実現できることを見出し、本考案に至った。すなわち、本考案のエアクッションは、巻き付き機能を有するエアクッションであって、概略円柱状に形成された中空の第一本体および前記第一本体と連続的に接続され、概略楕円柱状に形成された中空の第二本体を有し、内部に空気が充填されるクッション本体と、前記クッション本体のいずれかの位置で径方向に延出し、鍬形状に形成された少なくとも１つの巻き付き機能部と、前記第一本体の端部に設けられ、一端が開口し、他端が閉塞する少なくとも１つの収容部と、を備えることを特徴とする。
【００２１】
これにより、本考案者らは、抱き枕としての機能性を高めることを可能とすると共に、収容機能によって利便性を高めることを可能とした。以下、本考案の実施形態について、図面を参照しながら具体的に説明する。
【００２２】
［第１の実施形態］
図１Ａは、第１の実施形態に係るエアクッションの正面図であり、図１Ｂは、第１の実施形態に係るエアクッションの背面図であり、図１Ｃは、第１の実施形態に係るエアクッションの平面図であり、図１Ｄは、第１の実施形態に係るエアクッションの底面図であり、図１Ｅは、第１の実施形態に係るエアクッションの右側面図である。なお、左側面図は、右側面図と同様である。また、図２および図３は、第１の実施形態に係るエアクッションの斜視図である。図１Ａから図１Ｅにおいて、第１の実施形態に係るエアクッション１は、概略円柱状に形成された中空の第一本体２ｂおよび第一本体２ｂと連続的に接続され、概略楕円柱状に形成された中空の第二本体２ａを有し、内部に空気が充填されるクッション本体２を備えている。
【００２３】
クッション本体２には、径方向に延出し、鍬形状に形成された巻き付き機能部３が設けられている。図１Ｅに示すように、巻き付き機能部３は、クッション本体２をｘ軸方向としたときに、概ね、ｙ軸方向に延出する。これにより、巻き付き機能を向上させることが可能となり、抱き枕としての機能性を高めることが可能となる。巻き付き機能部３は、中空であって、クッション本体２と連続的に接続され、空気が充填される。このように、クッション本体２のみならず、巻き付き機能部３も中空であり、クッション本体２と連続的に接続されて、空気が充填されるため、全体の軽量化が図られると共に、１つの空気注入口からクッション全体へ空気を充填させることが可能となる。
【００２４】
また、図３に示すように、クッション本体２の第一本体２ｂの端部には、一端が開口し、他端が閉塞する収容部４が設けられている。収容部４は、開口部４ａおよび収容部本体４ｂから構成されている。カイロを収容部本体４ｂに収納することでクッション本体を温めたり、保冷剤を収納することでクッション本体を冷やしたりすることができる。また、タオルや手ぬぐい、スマートフォンや目覚まし時計などを収納しておくことも可能となる。巻き付き機能部３は、第一本体２ｂの端部で収容部４を挟むように設けられても良い。これにより、ユーザーが抱き枕として使用した際に、収容部４へ収容された物と接触することが可能となる。これにより、カイロを収容した場合は温かく感じ、保冷剤を収容した場合は冷たく感じさせることが可能となる。さらに、射精促進器を収容部４に収容させることも可能である。
【００２５】
図４は、本実施形態に係るエアクッション１にカバーを被せる様子を示す図である。すなわち、本実施形態に係るエアクッション１は、クッション本体２を被覆する第一のカバー５ａと、巻き付き機能部３を被覆する第二のカバー５ｂとをさらに備える。このように、第一のカバー５ａと第二のカバー５ｂとを備えるので、触り心地を向上させたり、清潔感を維持したりすることが可能となる。なお、カバーに図柄や似顔絵などを表示することで、ユーザーに愛着を感じさせることも可能となる。
【００２６】
［第２の実施形態］
図５Ａは、第２の実施形態に係るエアクッションの正面図であり、図５Ｂは、第２の実施形態に係るエアクッションの右側面図である。図５Ａおよび図５Ｂにおいて、第２の実施形態に係るエアクッション１１は、概略円柱状に形成された中空の第一本体１２ｂおよび第一本体１２ｂと連続的に接続され、概略楕円柱状に形成された中空の第二本体１２ａを有し、内部に空気が充填されるクッション本体１２を備えている。
【００２７】
クッション本体１２には、径方向に延出し、鍬形状に形成された巻き付き機能部１３ａおよび１３ｂが設けられている。すなわち、第２の実施形態に係るエアクッション１１は、２つの巻き付き機能部を備えている。第１の実施形態と同様に、巻き付き機能部１３ａおよび１３ｂは、クッション本体１２をｘ軸方向としたときに、概ね、ｙ軸方向に延出する。これにより、巻き付き機能を向上させることが可能となり、抱き枕としての機能性を高めることが可能となる。巻き付き機能部１３ａおよび１３ｂは、中空であって、クッション本体１２と連続的に接続され、空気が充填される。このように、クッション本体１２のみならず、巻き付き機能部１３ａおよび１３ｂも中空であり、クッション本体１２と連続的に接続されて、空気が充填されるため、全体の軽量化が図られると共に、１つの空気注入口からクッション全体へ空気を充填させることが可能となる。その他の構成は、第１の実施形態と同様である。
【００２８】
［第３の実施形態］
図６Ａは、第３の実施形態に係るエアクッションの平面図であり、図６Ｂは、第３の実施形態に係るエアクッションの底面図であり、図６Ｃは、第３の実施形態に係るエアクッションの背面図であり、図６Ｄは、第３の実施形態に係るエアクッションの右側面図である。第３の実施形態に係るエアクッション２１は、第１の実施形態のように、巻き付き機能部２３が１つ設けられている。一方、第１の実施形態とは異なり、収容部が２つ設けられている。
【００２９】
第３の実施形態に係るエアクッション２１は、概略円柱状に形成された中空の第一本体２２ｂおよび第一本体２２ｂと連続的に接続され、概略楕円柱状に形成された中空の第二本体２２ａを有し、内部に空気が充填されるクッション本体２２を備えている。
【００３０】
クッション本体２２には、径方向に延出し、鍬形状に形成された巻き付き機能部２３が設けられている。第１の実施形態と同様に、巻き付き機能部２３は、クッション本体２２をｘ軸方向としたときに、概ね、ｙ軸方向に延出する。これにより、巻き付き機能を向上させることが可能となり、抱き枕としての機能性を高めることが可能となる。巻き付き機能部２３は、中空であって、クッション本体２２と連続的に接続され、空気が充填される。このように、クッション本体２２のみならず、巻き付き機能部２３も中空であり、クッション本体２２と連続的に接続されて、空気が充填されるため、全体の軽量化が図られる。
【００３１】
エアクッション２１において、第一本体２２ｂは、同一の直径上で逆方向に開口する２つの収容部２４ａおよび２４ｂを備える。このように、第一本体２２ｂは、同一の直径上で逆方向に開口する２つの収容部２４ａおよび２４ｂを備えるので、複数の小物を収容することが可能となる。例えば、２つの射精促進器を収容部２４ａおよび２４ｂのそれぞれに収容することも可能である。
【００３２】
以上説明したように、本実施形態によれば、抱き枕としての機能性を高めることが可能となる。また、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【符号の説明】
【００３３】
１  エアクッション
２  クッション本体
２ａ  第二本体
２ｂ  第一本体
３  巻き付き機能部
４  収容部
４ａ  開口部
４ｂ  収容部本体
５ａ  第一のカバー
５ｂ  第二のカバー
１１  エアクッション
１２  クッション本体
１２ａ  第二本体
１２ｂ  第一本体
１３ａ、１３ｂ  巻き付き機能部
２１  エアクッション
２２  クッション本体
２２ａ  第二本体
２２ｂ  第一本体
２３  巻き付き機能部
２４ａ、２４ｂ  収容部
【図１Ａ】
0003216946.tif 000003
【図１Ｂ】
0003216946.tif 000004
【図１Ｃ】
0003216946.tif 000005
【図１Ｄ】
0003216946.tif 000006
【図１Ｅ】
0003216946.tif 000007
【図２】
0003216946.tif 000008
【図３】
0003216946.tif 000009
【図４】
0003216946.tif 000010
【図５Ａ】
0003216946.tif 000011
【図５Ｂ】
0003216946.tif 000012
【図６Ａ】
0003216946.tif 000013
【図６Ｂ】
0003216946.tif 000014
【図６Ｃ】
0003216946.tif 000015
【図６Ｄ】
0003216946.tif 000016